(57)【要約】【課題】筐体に対するキャップの適切な取り付け状態を得やすい携帯電子機器を提供する。【解決手段】開口部２０が形成された操作部側筐体２のリアケース２ｂと、リアケース２ｂに対する着脱により開口部２０を開閉するキャップ１６と、を備え、キャップ１６は、本体部１６０と、弾性部材で形成され、本体部１６０から突出して設けられてリアケース２ｂの内部に挿入可能に構成される舌片１６１と、を有して構成され、舌片１６１およびリアケース２ｂの内部の少なくとも一方には、舌片１６１がリアケース２ｂの内部に挿入され本体部１６０が開口部２０を閉塞しているときに舌片１６１を舌片１６１の長さ方向とは異なる方向に付勢する付勢部１６１ａ、２１０、２１１が設けられる。【選択図】図５
2011010057.tif 000002
【特許請求の範囲】
【請求項１】
開口部が形成された筐体と、
前記筐体に対する着脱により前記開口部を開閉するキャップと、を備え、
前記キャップは、本体部と、弾性部材で形成され、当該本体部から突出して設けられて前記筐体の内部に挿入可能に構成される舌片と、を有して構成され、
前記舌片および前記筐体の内部の少なくとも一方には、前記舌片が前記筐体の内部に挿入され前記本体部が前記開口部を閉塞しているときに前記舌片を前記舌片の長さ方向とは異なる方向に付勢する付勢部が設けられる、ことを特徴とする携帯電子機器。
【請求項２】
前記筐体は、前記本体部において前記付勢部により前記舌片が付勢されるのに伴って前記筐体と離間する方向に移動する部分を係止する係止部を有する、ことを特徴とする請求項１に記載の携帯電子機器。
【請求項３】
前記舌片および前記筐体の内部の少なくとも一方には突出部が設けられ、少なくとも他方は前記舌片が弾性変形した状態で前記突出部が当接する当接部を有する、ことを特徴とする請求項１または請求項２に記載の携帯電子機器。
【請求項４】
前記舌片には第１の突出部が設けられ、
前記筐体の内部には第２の突出部が設けられ、
前記第１の突出部は、前記舌片が前記筐体の内部から離脱する向きに移動したときに前記第２の突出部により係止される、ことを特徴とする請求項３に記載の携帯電子機器。
【発明の詳細な説明】
【技術分野】
【０００１】
本発明は、携帯電話機等の携帯電子機器に関する。
【背景技術】
【０００２】
従来、筐体に形成された開口部を閉塞するキャップを備えた携帯電子機器が知られている。（例えば、特許文献１）。特許文献１には、キャップの本体部に設けられた舌片が筐体の内部に挿入され、本体部が開口部を塞ぐキャップが開示されている。
【先行技術文献】
【特許文献】
【０００３】
【特許文献１】特開２００７−９６４６７号公報
【発明の概要】
【発明が解決しようとする課題】
【０００４】
しかしながら、特許文献１に記載の技術は、キャップの本体部のみがキャップの取り付け状態に寄与しているため、筐体に対するキャップの適切な取り付け状態を得にくいという課題があった。
【０００５】
本発明は上記のような課題に鑑みてなされたもので、筐体に対するキャップの適切な取り付け状態を得やすい携帯電子機器を提供することを目的とする。
【課題を解決するための手段】
【０００６】
上記課題を解決するために、本発明に係る携帯電子機器の代表的な構成は、開口部が形成された筐体と、前記筐体に対する着脱により前記開口部を開閉するキャップと、を備え、前記キャップは、本体部と、弾性部材で形成され、当該本体部から突出して設けられて前記筐体の内部に挿入可能に構成される舌片と、を有して構成され、前記舌片および前記筐体の内部の少なくとも一方には、前記舌片が前記筐体の内部に挿入され前記本体部が前記開口部を閉塞しているときに前記舌片を前記舌片の長さ方向とは異なる方向に付勢する付勢部が設けられる、ことを特徴とする。
【０００７】
また、前記筐体は、前記本体部において前記付勢部により前記舌片が付勢されるのに伴って前記筐体と離間する方向に移動する部分を係止する係止部を有することが好ましい。
【０００８】
また、前記舌片および前記筐体の内部の少なくとも一方には突出部が設けられ、少なくとも他方は前記舌片が弾性変形した状態で前記突出部が当接する当接部を有することが好ましい。
【０００９】
また、前記舌片には第１の突出部が設けられ、前記筐体の内部には第２の突出部が設けられ、前記第１の突出部は、前記舌片が前記筐体の内部から離脱する向きに移動したときに前記第２の突出部により係止されることが好ましい。
【発明の効果】
【００１０】
本発明によれば、筐体に対するキャップの適切な取り付け状態を得やすい携帯電子機器を提供することができる。
【図面の簡単な説明】
【００１１】
【図１】携帯電話機１を開いた状態における外観斜視図である。
【図２】操作部側筐体２をリアケース２ｂ側から見た外観斜視図である。
【図３】リアケース２ｂにおける開口部２０近傍を示す拡大斜視図である。
【図４】（ａ）キャップ１６の外観斜視図である。（ｂ）キャップ１６を（ａ）と異なる角度から見た外観斜視図である。
【図５】キャップ１６が開口部２０を閉じたときのリアケース２ｂおよびキャップ１６を示す断面図である。
【発明を実施するための形態】
【００１２】
以下、図面を参照して本発明を実施するための形態を説明する。図１は、本実施形態における携帯電子機器としての携帯電話機１を開いた状態における外観斜視図である。
【００１３】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）にすることができる。ここで、閉状態とは、両筐体が互いに重なるように配置された状態であり、開状態とは、両筐体が互いに重ならないように配置された状態をいう。
【００１４】
操作部側筐体２は、操作キー群１１と、携帯電話機１の使用者が通話時に発した音声が入力される音声入力部１２とを備える。
【００１５】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１６】
音声入力部１２は、操作部側筐体２の長手方向における連結部４側と反対の外端部側に配置される。つまり、音声入力部１２は、携帯電話機１が開状態において一方の外端部側に配置される。
【００１７】
表示部側筐体３は、各種情報を表示するための表示部３１と、通話の相手側の音声を出力する音声出力部３２とを備える。ここで、表示部３１は、液晶パネルと、この液晶パネルを駆動する駆動回路と、この液晶パネルの背面側から光を照射するバックライト等の光源部とから構成される。
【００１８】
次に、図２および図３により、開口部２０付近の構造について説明する。図２は、操作部側筐体２をリアケース２ｂ側から見た外観斜視図である。図３は、リアケース２ｂにおける開口部２０近傍を示す拡大斜視図である。
【００１９】
図３に示すように、操作部側筐体２のリアケース２ｂには開口部２０が形成されている。この開口部２０は、操作部側筐体２の内部に配置され例えば外部の記憶媒体が挿入されるコネクタ（不図示）を外部に露出させるためのものであり、コネクタを使用しない際には図２に示すようにリアケース２ｂに着脱されるキャップ１６によって閉じられている。また、リアケース２ｂにおいて開口部２０を形成する１つの面には凹部２１が形成されており、後述のキャップ１６の舌片１６１が挿入される。
【００２０】
次に、図４により、キャップ１６の構造について説明する。図４（ａ）は、キャップ１６の外観斜視図である。図４（ｂ）は、キャップ１６を図４（ａ）と異なる角度から見た外観斜視図である。図４（ａ）に示すように、キャップ１６は、略直方体形状の本体部１６０と、本体部１６０の長手方向の一端部から突出する舌片１６１とから成る。本体部１６０は、例えばリアケース２ｂを構成する樹脂と同一の樹脂で形成される。舌片１６１は、例えば弾性を有する樹脂で形成される。舌片１６１が前述の凹部２１に挿入され本体部１６０が開口部２０に嵌合することで開口部２０がキャップ１６により閉じられる。舌片１６１の端部には、本体部１６０の長手方向の他端部から一端部へ向かう方向に突出する第１の凸部１６１ａが形成されている。なお、本体部１６０の長手方向の他端部には、被係止部としての嵌合爪１６０ａが設けられており、この嵌合爪１６０ａは、本体部１６０が開口部２０を閉じたときに係止部としての開口部２０の切り欠き部２０ｂに嵌合し係止される。ここで、一端部および他端部は、縁部だけでなく本実施形態のような縁部近傍も含む概念である。また、一端部と他端部とは、厳密に正反対の方向にある部分でなく、略反対の方向にある部分も含む概念である。
【００２１】
次に、図５により、キャップ１６が開口部２０を閉じたときの様子について説明する。図５は、キャップ１６が開口部２０を閉じたときのリアケース２ｂおよびキャップ１６を示す断面図である。キャップ１６の本体部１６０が開口部２０に、嵌合爪１６０ａが切り欠き部２０ｂにそれぞれ嵌合し、キャップ１６の舌片１６１は凹部２１に挿入されている。また、凹部２１の内壁のうち舌片１６１に設けられた第１の凸部１６１ａと対向する面は、開口部２０の縁部から操作部側筐体２の内部に向かって傾斜する傾斜面２１０となっており、この当接部としての傾斜面２１０が第１の凸部１６１ａと当接する。また、傾斜面２１０の途中には第２の凸部２１１が形成されており、舌片１６１に当接する。
【００２２】
以上の構成を有する携帯電話機１によれば、リアケース２ｂに対するキャップ１６の適切な取り付け状態を得ることができる。ここで、図５を用いて、本発明の作用について説明する。
【００２３】
舌片１６１が弾性変形した状態で第１の凸部１６１ａと傾斜面２１０、舌片１６１と第２の凸部２１１は互いに当接しているため、舌片１６１に対して図５における矢印Ａの方向に付勢力が働く。この付勢力は、舌片１６１の長さ方向と異なる方向成分を有しているので、キャップ１６は、舌片１６１の付け根近傍とリアケース２ｂとが当接する点（図５における点Ｐ）の周りの力のモーメントにより、時計回りに回転しようとする。その結果、本体部１６０において舌片１６１が設けられている一端部が図５における矢印Ｂの方向に付勢される。これにより、簡素な構成でリアケース２ｂに対するキャップ１６の適切な取り付け状態を得ることができる。なお、ここで述べる舌片１６１の長さ方向とは、直線的に測った場合の長さの方向に限らず、また、舌片１６１の長手方向や舌片１６１の凹部２１に対する挿脱方向を含む概念である。
【００２４】
本体部１６０の他端部は、舌片１６１が付勢されるのに伴って一端部とは逆にリアケース２ｂから離間する方向に移動しようとするが、この部分は嵌合爪１６０ａと切り欠き部２０ｂが嵌合することで係止されている。これにより、リアケース２ｂに対するキャップ１６のより適切な取り付け状態を得ることができる。
【００２５】
本発明は、本実施形態のように構造上本体部１６０における舌片１６１が設けられている側の端部に嵌合爪を設けることができない場合にさらに有効である。
【００２６】
また、本実施形態においては、舌片１６１が操作部側筐体２のリアケース２ｂから離脱する向きに移動したときに、第１の凸部１６１ａが第２の凸部２１１に係止される構成となっている。これにより、別途舌片１６１の抜け止めのための部材を設けずとも、舌片１６１がリアケース２ｂから離脱することを防止することができる。
【００２７】
以上、好適な実施形態について説明したが、本発明は本実施形態に限定されることなく種々の形態で実施することができる。例えば、本実施形態においては、携帯電子機器を携帯電話機１として説明しているが、本発明はこれに限定されず、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ノートパソコン、デジタルカメラ等であってもよい。
【００２８】
また、本実施形態においては、連結部により折り畳み可能な携帯電話機の説明をしているが、このような折り畳み式ではなく、操作部側筐体と表示部側筐体とを重ね合わせた状態から一方の筐体を一方向にスライドさせるようにしたスライド式や、操作部側筐体と表示部側筐体との重ね合わせ方向に沿う軸線を中心に一方の筐体を回転させるようにした回転（ターン）式や、操作部側筐体と表示部側筐体とが一つの筐体に配置され連結部を有さない型式（ストレートタイプ）でもよい。また、携帯電話機は、開閉及び回転可能ないわゆる２軸ヒンジタイプであってもよい。
【００２９】
また、本実施形態においては、操作部側筐体のリアケースに開口部が形成されているが、本発明はこれに限定されず、操作部側筐体のフロントケースや表示部側筐体に開口部が形成されていてもよい。
【００３０】
また、本実施形態においては、キャップの本体部の長手方向の一端部に舌片が設けられ、他端部に嵌合爪が設けられているが、本発明はこれに限定されず、短手方向の一端部に舌片が、他端部に嵌合爪が設けられていてもよい。また、舌片は必ずしも本体部の端部に設けられている必要はない。
【００３１】
また、本実施形態においては、キャップの舌片およびリアケースの内壁に凸部が設けられているが、本発明はこれに限定されず、舌片に対して付勢力が働いて舌片が弾性変形することで本体部に筐体へ向かう方向の付勢力が働きキャップの適切な取り付け状態を得ることができる構成であればよい。例えば、リアケースの内壁を傾斜面として構成し、凸部が設けられていない舌片が傾斜面に当接することで舌片が付勢される構成であってもよい。舌片およびリアケースの内部にそれぞれ磁石を設けて、反発し合う磁力により舌片が付勢されるよう構成してもよい。
【００３２】
また、本実施形態においては、舌片は直線的に形成されているが、本発明はこれに限定されず、本体部から突出するものであれば、例えば略Ｌ字状に形成されていてもよい。この場合、Ｌ字を形成する第１の部分および第２の部分のそれぞれについて長さ方向とは異なる方向に付勢するよう構成すればよい。
【００３３】
また、本実施形態においては、係止部を開口部に形成された切り欠き部、被係止部を嵌合爪として説明しているが、本発明はこれに限定されず、本体部と筐体とが当接して両者の間に働く摩擦力で係止するように構成してもよい。
【００３４】
また、本実施形態においては、リアケースの内壁において舌片に設けられた凸部が当接する当接部を傾斜面として説明しているが、本発明はこれに限定されず、凸部と当接する構成であれば、当接部が傾斜面でなくともよい。
【符号の説明】
【００３５】
１            携帯電話機（携帯電子機器）
２            操作部側筐体
２ａ          フロントケース
２ｂ          リアケース（筐体）
３            表示部側筐体
１６          キャップ
２０          開口部
２０ｂ        切り欠き部（係止部）
２１          凹部
１６０        本体部
１６０ａ      嵌合爪
１６１        舌片
１６１ａ      第１の凸部（付勢部、第１の突出部）
２１０        傾斜面（付勢部、当接部）
２１１        第２の凸部（付勢部、第２の突出部）
【図１】
2011010057.tif 000003
【図２】
2011010057.tif 000004
【図３】
2011010057.tif 000005
【図４】
2011010057.tif 000006
【図５】
2011010057.tif 000007